(57)【要約】      （修正有）【課題】被保護物保護体を形成するための展開した板材を小さくすることができる被保護物保護体を提供する。【解決手段】被保護物を保護する保護部である第１載置部２と第２載置部３が展開された２つ以上の展開保護部である第１展開載置部，第２展開載置部と、隣接して配置される２つの第１展開載置部と第２展開載置部とを連結する連結部４が展開された展開連結部とが設けられ、展開された状態において展開連結部は前記２つの第１展開載置部と第２展開載置部との周縁部に沿って配置される展開図を備えており、第１載置部２と第２載置部３は第１展開載置部，第２展開載置部が展開連結部に対して斜めに折り返されて展開連結部の端部側に配置されるので、被保護物保護体１を形成するために用いられる展開した段ボール板を小さくして省資源を図る。【選択図】図４
2014024566.tif 000002
【特許請求の範囲】
【請求項１】
被保護物を保護する保護部が展開された２つ以上の展開保護部と、隣接して配置される２つの展開保護部を連結する連結部が展開された展開連結部とが設けられ、展開された状態において展開連結部は前記２つの展開保護部の周縁部に沿って配置される展開図を備えており、
保護部は前記展開保護部が展開連結部に対して斜めに折り返されて展開連結部の端部側に配置されることを特徴とする被保護物保護体。
【請求項２】
展開連結部の両端部側に配置される２つの保護部は平行であることを特徴とする請求項１に記載の被保護物保護体。
【請求項３】
段ボール板を用いて形成されることを特徴とする請求項１または２に記載の被保護物保護体。
【発明の詳細な説明】
【技術分野】
【０００１】
本発明は、保護される被保護物を載置し、あるいは覆って被保護物を保護する被保護物保護体に関する。
【背景技術】
【０００２】
たとえば特許文献１には、１枚の段ボール板を折り曲げて形成されエアコンなどの被梱包物を覆う梱包用トレイが記載されている。
【先行技術文献】
【特許文献】
【０００３】
【特許文献１】特開２００８−２１３８７１号公報
【発明の概要】
【発明が解決しようとする課題】
【０００４】
特許文献１に記載の梱包用トレイは、被梱包物の下面全面および上面全面を覆っており、展開した段ボール板が大きくなる。展開した厚紙などの板材を小さくすることができれば省資源に繋がり好ましい。
【０００５】
本発明の目的は、被保護物保護体を形成するための展開した板材を小さくして省資源を図ることができる被保護物保護体を提供することである。
【課題を解決するための手段】
【０００６】
この課題を解決するために請求項１の発明は、被保護物を保護する保護部が展開された２つ以上の展開保護部と、隣接して配置される２つの展開保護部を連結する連結部が展開された展開連結部とが設けられ、展開された状態において展開連結部は前記２つの展開保護部の周縁部に沿って配置される展開図を備えており、保護部は前記展開保護部が展開連結部に対して斜めに折り返されて展開連結部の端部側に配置される。
【０００７】
請求項２の発明において、展開連結部の両端部側に配置される２つの保護部は平行である。
請求項３の発明は、段ボール板を用いて形成される。
【発明の効果】
【０００８】
請求項１の発明によれば、保護部は、展開保護部の周縁部に沿って配置される展開連結部に対して斜めに折り返されて展開連結部の端部側に配置されるので、被保護物保護体を形成するために用いられる展開した板材を小さくして省資源を図ることができる。
【０００９】
請求項２の発明によれば、被保護物に合わせて保護部を配置して確実に保護することができる。
請求項３の発明によれば、軽量で衝撃吸収性に優れた被保護物保護体とすることができる。
【図面の簡単な説明】
【００１０】
【図１】本発明の第１の実施の形態に係る被保護物保護体の展開図である。
【図２】同被保護物保護体の組み立て途中の状態を示す斜視図である。
【図３】同被保護物保護体を裏面側から見た斜視図である。
【図４】同被保護物保護体を表面側から見た斜視図である。
【図５】本発明の第２の実施の形態に係る被保護物保護体の展開図である。
【図６】同被保護物保護体の組み立て途中の状態を示す斜視図である。
【図７】同被保護物保護体の組み立て途中の状態を示す斜視図である。
【図８】同被保護物保護体を表面側から見た斜視図である。
【図９】本発明の第３の実施の形態に係る被保護物保護体の展開図である。
【図１０】同被保護物保護体の組み立て途中の状態を示す斜視図である。
【図１１】同被保護物保護体の組み立て途中の状態を示す斜視図である。
【図１２】同被保護物保護体の組み立て途中の状態を示す斜視図である。
【図１３】同被保護物保護体を表面側から見た斜視図である。
【図１４】本発明の第４の実施の形態に係る被保護物保護体の展開図である。
【図１５】同被保護物保護体の組み立て途中の状態を示す斜視図である。
【図１６】同被保護物保護体の組み立て途中の状態を示す斜視図である。
【図１７】同被保護物保護体の組み立て途中の状態を示す斜視図である。
【図１８】同被保護物保護体を裏面側から見た斜視図である。
【図１９】同被保護物保護体を表面側から見た斜視図である。
【図２０】本発明の第５の実施の形態に係る被保護物保護体の展開図である。
【図２１】同被保護物保護体の組み立て途中の状態を示す斜視図である。
【図２２】同被保護物保護体の組み立て途中の状態を示す斜視図である。
【図２３】同被保護物保護体の組み立て途中の状態を示す斜視図である。
【図２４】同被保護物保護体を表面側から見た斜視図である。
【図２５】本発明の第６の実施の形態に係る被保護物保護体の展開図である。
【図２６】同被保護物保護体の第１の組み立て完成状態を示す斜視図である。
【図２７】同被保護物保護体の第２の組み立て完成状態を示す斜視図である。
【発明を実施するための形態】
【００１１】
本発明の第１の実施の形態について図１〜図４に基づいて説明する。被保護物保護体１は、たとえば厚紙である段ボール板を用いて形成され、被保護物が載置される保護部である第１載置部２と第２載置部３と、第１載置部２，第２載置部３を連結する連結部４とを備えている。
【００１２】
被保護物保護体１は、展開図５において、第１載置部２，第２載置部３が展開された展開保護部である、第１展開載置部２ａ，第２展開載置部３ａと、連結部４が展開された展開連結部４ａとを備えている。２つの第１展開載置部２ａ，第２展開載置部３ａは端面２ｂと３ｂとが突き合わされた状態で隣接して配置され、展開連結部４ａは第１展開載置部２ａ，第２展開載置部３ａの周縁部２ｃ，３ｃに沿って配置される。展開連結部４ａの両端部には、展開連結部４ａの長手方向に対して４５°傾いた左右対称な折り返し線４ｂ，４ｂが形成されており、第１展開載置部２ａ，第２展開載置部３ａは、この折り返し線４ｂ，４ｂに沿って折り返し可能である。
【００１３】
第１展開載置部２ａが折り返し線４ｂに沿って折り返された状態を図２に示す。図２の状態から、さらに第２展開載置部３ａが折り返し線４ｂに沿って折り返されて被保護物保護体１が形成される。裏面側から見た被保護物保護体１を図３に示し、表面側から見た被保護物保護体１を図４に示す。
【００１４】
第１展開載置部２ａと第２展開載置部３ａとは、折り返し線４ｂ，４ｂに沿って折り返されて、第１載置部２と第２載置部３とが、平行になるように連結部４の両端部に張り出した状態で設置されるので、被保護物保護体１を形成するために用いられる展開した板材である段ボール板を小さくすることができ省資源を図ることができる。
【００１５】
なお、第１展開載置部２ａと第２展開載置部３ａとは端面２ｂと３ｂとが当接した状態で配置されているが、これに限定されるものではなく端面２ｂと３ｂとの間に隙間を設けることもできる。
【００１６】
本発明の第２の実施の形態について図５〜図８に基づいて説明する。被保護物保護体１１は、たとえば厚紙である段ボール板を用いて形成され、被保護物が載置される第１載置部１２と第２載置部１３と、第１載置部１２と第２載置部１３とを連結する連結部１４とを備えている。
【００１７】
被保護物保護体１１は、展開図１５において、保護部である第１載置部１２，第２載置部１３が展開された展開保護部である第１展開載置部１２ａ，第２展開載置部１３ａと、連結部１４が展開された展開連結部１４ａとを備えている。２つの第１展開載置部１２ａ，第２展開載置部１３ａは端面１２ｂと１３ｂとが突き合わされた状態で隣接して配置され、展開連結部１４ａは第１展開載置部１２ａ，第２展開載置部１３ａの周縁部１２ｃ，１３ｃに沿って配置される。展開連結部１４ａの両端部には、展開連結部１４ａの長手方向に対して４５°傾いた左右対称な折り返し線１４ｂ，１４ｂが形成されており、第１展開載置部１２ａ，第２展開載置部１３ａは、この折り返し線１４ｂ，１４ｂに沿って折り返される。
【００１８】
第１展開載置部１２ａと第２展開載置部１３ａとには、各々対向するように側壁部１２ｄ，１２ｅと側壁部１３ｄ，１３ｅとが形成されている。側壁部１２ｄ，１２ｅには折り曲げ可能にフラップ１２ｆ，１２ｇが形成され、側壁部１３ｄ，１３ｅには折り曲げ可能にフラップ１３ｆ，１３ｇが形成されている。さらに第１展開載置部１２ａの側壁部１２ｄ，１２ｅと直交する方向には、外側側壁板部１２ｇと内側側壁板部１２ｈとが折り曲げ可能に形成され、第２展開載置部１３ａの側壁部１３ｄ，１３ｅと直交する方向には、外側側壁板部１３ｇと内側側壁板部１３ｈとが折り曲げ可能に形成されている。
【００１９】
図６に示すように、第１展開載置部１２ａの側壁部１２ｄ，１２ｅが直角に折り曲げて立ち上げられ、立ち上げられた側壁部１２ｄ，１２ｅに対してフラップ１２ｆ，１２ｇが直角に折り曲げられる。この状態で、外側側壁板部１２ｇが直角に折り曲げられて立ち上げられ、さらに外側側壁板部１２ｇに対して内側側壁板部１２ｈが、外側側壁板部１２ｇとの間にフラップ１２ｆ，１２ｇを挟みこんだ状態で第１展開載置部１２ａの内側に折り返され、内側側壁板部１２ｈの端部に形成された凸部１２ｊ，１２ｊがスリット１２ｋ，１２ｋに嵌め込まれる。このようにして、側壁部１２ｄ，１２ｅ，外側側壁板部１２ｇ，内側側壁板部１２ｈが固定される。
【００２０】
同様にして第２展開載置部１３ａの側壁部１３ｄ，１３ｅ，外側側壁板部１３ｇ，内側側壁板部１３ｈが固定され、第２展開載置部１３ａが折り返し線１４ｂに沿って折り返された状態を図７に示す。さらに、第１展開載置部１２ａが折り返し線１４ｂに沿って折り返されて形成された被保護物保護体１１を表面側から見た斜視図を図８に示す。第１展開載置部１２ａと第２展開載置部１３ａとは、折り返し線１４ｂ，１４ｂに沿って折り返されて、第１載置部１２と第２載置部１３とが、平行になるように連結部１４の両端部に張り出した状態で設置されるので、被保護物保護体１１を形成するために用いられる展開した板材である段ボール板を小さくすることができ省資源を図ることができる。
【００２１】
なお、第１展開載置部１２ａと第２展開載置部１３ａとは端面１２ｂと１３ｂとが当接した状態で配置されているが、これに限定されるものではなく端面１２ｂと１３ｂとの間に隙間を設けることもできる。
【００２２】
本発明の第３の実施の形態について図９〜図１３に基づいて説明する。被保護物保護体２１は、たとえば厚紙である段ボール板を用いて形成され、被保護物が載置される保護部である第１載置部２２と第２載置部２３と第３載置部２４と第４載置部２５とを備え、さらに、第１載置部２２と第２載置部２３とを連結する第１連結部２６，第２載置部２３と第３載置部２４とを連結する第２連結部２７，第３載置部２４と第４載置部２５とを連結する第３連結部２８とを備えている。
【００２３】
被保護物保護体２１は、展開図２９において、第１載置部２２，第２載置部２３，第３載置部２４，第４載置部２５が展開された展開保護部である第１展開載置部２２ａ，第２展開載置部２３ａ，第３展開載置部２４ａ，第４展開載置部２５ａと、連結部２６，連結部２７，連結部２８が展開された展開連結部２６ａ，２７ａ，２８ａとを備えている。第１展開載置部２２ａと第２展開載置部２３ａとは凸部２２ｂと凸部２３ｃとが突き合わされた状態で隣接して配置され、第２展開載置部２３ａと第３展開載置部２４ａとは端面２３ｂと２４ｃとが突き合わされた状態で隣接して配置され、第３展開載置部２４ａと第４展開載置部２５ａとは凸部２４ｂと凸部２５ｃとが突き合わされた状態で隣接して配置され、第４展開載置部２５ａと第１展開載置部２２ａとは端面２５ｂと２２ｃとが突き合わされた状態で隣接して配置される。
【００２４】
展開連結部２６ａは第１展開載置部２２ａ，第２展開載置部２３ａの周縁部２２ｄ，２３ｄに沿って配置され、展開連結部２７ａは第２展開載置部２３ａ，第３展開載置部２４ａの周縁部２３ｅ，２４ｄに沿って配置され、展開連結部２８ａは第３展開載置部２４ａ，第４展開載置部２５ａの周縁部２４ｅ，２５ｄに沿って配置される。
【００２５】
展開連結部２６ａ，２７ａ，２８ａの両端部には、展開連結部２６ａ，２７ａ，２８ａの長手方向に対して４５°傾いた左右対称な折り返し線２６ｂ，２６ｂ、２７ｂ，２７ｂ、２８ｂ，２８ｂが形成されており、第１展開載置部２２ａ，第２展開載置部２３ａ，第３展開載置部２４ａ，第４展開載置部２５ａは、この折り返し線２６ｂ，２６ｂ、２７ｂ，２７ｂ、２８ｂ，２８ｂに沿って折り返される。
【００２６】
第１展開載置部２２ａには側壁部２２ｅが形成されており、側壁部２２ｅには折り曲げ可能にフラップ２２ｆが形成されており、側壁部２２ｅと直交する方向には、外側側壁板部２２ｇと内側側壁板部２２ｈとが折り曲げ可能に形成されている。第２展開載置部２３ａには側壁部２３ｆが形成されており、側壁部２３ｆには折り曲げ可能にフラップ２３ｇが形成されており、側壁部２３ｆと直交する方向には、外側側壁板部２３ｈと内側側壁板部２３ｉとが折り曲げ可能に形成されている。第３展開載置部２４ａには側壁部２４ｆが形成されており、側壁部２４ｆには折り曲げ可能にフラップ２４ｇが形成されており、側壁部２４ｆと直交する方向には、外側側壁板部２４ｈと内側側壁板部２４ｉとが折り曲げ可能に形成されている。
【００２７】
第４展開載置部２５ａには側壁部２５ｅが形成されており、側壁部２５ｅには折り曲げ可能にフラップ２５ｆが形成されており、側壁部２５ｅと直交する方向には、外側側壁板部２５ｇと内側側壁板部２５ｈとが折り曲げ可能に形成されている。
【００２８】
図１０に示すように、第１展開載置部２２ａの側壁部２２ｅが直角に折り曲げて立ち上げられ、立ち上げられた側壁部２２ｅに対してフラップ２２ｆが直角に折り曲げられる。この状態で、図１１に示すように外側側壁板部２２ｇが直角に折り曲げられて立ち上げられ、さらに外側側壁板部２２ｇに対して内側側壁板部２２ｈが、外側側壁板部２２ｇとの間にフラップ２２ｆを挟みこんだ状態で第１展開載置部２２ａの内側に折り返され、内側側壁板部２２ｈの端部に形成された凸部２２ｂがスリット２２ｉに嵌め込まれる。このようにして、側壁部２２ｅ，外側側壁板部２２ｇ，内側側壁板部２２ｈが固定される。
【００２９】
同様にして第２展開載置部２３ａの側壁部２３ｆ，外側側壁板部２３ｈ，内側側壁板部２３ｉが固定され、第３展開載置部２４ａの側壁部２４ｆ，外側側壁板部２４ｈ，内側側壁板部２４ｉが固定され、さらに第４展開載置部２５ａの側壁部２５ｅ，外側側壁板部２５ｇ，内側側壁板部２５ｈが固定される。この状態を図１２に示す。
【００３０】
図１２に示す状態から、第１展開載置部２２ａ，第２展開載置部２３ａ，第３展開載置部２４ａ，第４展開載置部２５ａが、折り返し線２６ｂ，２６ｂ、２７ｂ，２７ｂ、２８ｂ，２８ｂに沿って折り返されて被保護物保護体２１が形成される。図１３は、被保護物保護体２１を表面側から見た斜視図である。第１載置部２２，第２載置部２３，第３載置部２４，第４載置部２５は、第１連結部２６，第２連結部２７，第３連結部２８の端部側に張り出した状態で平行になるように設置される。これによって被保護物保護体３１を形成するために用いられる展開した板材である段ボール板を小さくすることができ省資源を図ることができる。
【００３１】
なお、第１展開載置部２２ａと第２展開載置部２３ａとは凸部２２ｂと凸部２３ｃとが当接した状態で配置され、第２展開載置部２３ａと第３展開載置部２４ａとは端面２３ｂと２４ｃとが当接した状態で配置され、第３展開載置部２４ａと第４展開載置部２５ａとは凸部２４ｂと凸部２５ｃとが当接した状態で配置され、第４展開載置部２５ａと第１展開載置部２２ａとは端面２５ｂと２２ｃとが当接した状態で配置されているが、これに限定されるものではなく、第１展開載置部２２ａと第２展開載置部２３ａとの間、第２展開載置部２３ａと第３展開載置部２４ａとの間、第３展開載置部２４ａと第４展開載置部２５ａとの間、あるいは第４展開載置部２５ａと第１展開載置部２２ａとの間に隙間を設けることもできる。
【００３２】
本発明の第４の実施の形態について図１４〜図１９に基づいて説明する。被保護物保護体３１は、たとえば厚紙である段ボール板を用いて形成され、被保護物が載置される保護部である第１載置部３２と第２載置部３３と第３載置部３４と第４載置部３５とを備え、さらに、第１載置部３２と第２載置部３３とを連結する第１連結部３６，第２載置部３３と第３載置部３４とを連結する第２連結部３７，第３載置部３４と第４載置部３５とを連結する第３連結部３８，第４載置部３５と第１載置部３２とを連結する第４連結部３９とを備えている。
【００３３】
被保護物保護体３１は、展開図４０において、第１載置部３２，第２載置部３３，第３載置部３４，第４載置部３５が展開された展開保護部である第１展開載置部３２ａ，第２展開載置部３３ａ，第３展開載置部３４ａ，第４展開載置部３５ａと、第１連結部３６，第２連結部３７，第３連結部３８，第４連結部３９が展開された展開連結部３６ａ，３７ａ，３８ａ，３９ａとを備えている。第１展開載置部３２ａと第２展開載置部３３ａとは凸部３２ｂと凸部３３ｃとが突き合わされた状態で隣接して配置され、第２展開載置部３３ａと第３展開載置部３４ａとは端面３３ｂと３４ｃとが突き合わされた状態で隣接して配置され、第３展開載置部３４ａと第４展開載置部３５ａとは凸部３４ｂと凸部３５ｃとが突き合わされた状態で隣接して配置され、第４展開載置部３５ａと第１展開載置部３２ａとは端面３５ｂと３２ｃとが突き合わされた状態で隣接して配置される。
【００３４】
展開連結部３６ａは第１展開載置部３２ａ，第２展開載置部３３ａの周縁部３２ｄ，３３ｄに沿って配置され、展開連結部３７ａは第２展開載置部３３ａ，第３展開載置部３４ａの周縁部３３ｅ，３４ｄに沿って配置され、展開連結部３８ａは第３展開載置部３４ａ，第４展開載置部３５ａの周縁部３４ｅ，３５ｄに沿って配置され、展開連結部３９ａは第４展開載置部３５ａ，第１展開載置部３２ａの周縁部３５ｅ，３２ｅに沿って配置される。
【００３５】
各展開連結部３６ａ，３７ａ，３８ａ，３９ａの両端部には、展開連結部３６ａ，３７ａ，３８ａ，３９ａの長手方向に対して４５°傾いた左右対称な折り返し線３６ｂ，３６ｂ、３７ｂ，３７ｂ、３８ｂ，３８ｂ、３９ｂ，３９ｂが形成されており、第１展開載置部３２ａ，第２展開載置部３３ａ，第３展開載置部３４ａ，第４展開載置部３５ａは、この折り返し線３６ｂ，３６ｂ、３７ｂ，３７ｂ、３８ｂ，３８ｂ、３９ｂ，３９ｂに沿って折り返し可能である。
【００３６】
第１展開載置部３２ａには側壁部３２ｆが形成されており、側壁部３２ｆには折り曲げ可能にフラップ３２ｇが形成されており、側壁部３２ｆと直交する方向には、外側側壁板部３２ｈと内側側壁板部３２ｉとが折り曲げ可能に形成されている。第２展開載置部３３ａには側壁部３３ｆが形成されており、側壁部３３ｆには折り曲げ可能にフラップ３３ｇが形成されており、側壁部３３ｆと直交する方向には、外側側壁板部３３ｈと内側側壁板部３３ｉとが折り曲げ可能に形成されている。第３展開載置部３４ａには側壁部３４ｆが形成されており、側壁部３４ｆには折り曲げ可能にフラップ３４ｇが形成されており、側壁部３４ｆと直交する方向には、外側側壁板部３４ｈと内側側壁板部３４ｉとが折り曲げ可能に形成されている。
【００３７】
第４展開載置部３５ａには側壁部３５ｆが形成されており、側壁部３５ｆには折り曲げ可能にフラップ３５ｇが形成されており、側壁部３５ｆと直交する方向には、外側側壁板部３５ｈと内側側壁板部３５ｉとが折り曲げ可能に形成されている。
【００３８】
図１５に示すように、第１展開載置部３２ａの側壁部３２ｆが直角に折り曲げて立ち上げられ、立ち上げられた側壁部３２ｆに対してフラップ３２ｇが直角に折り曲げられる。この状態で、図１６に示すように外側側壁板部３２ｈが直角に折り曲げられて立ち上げられ、さらに外側側壁板部３２ｈに対して内側側壁板部３２ｉが、外側側壁板部３２ｈとの間にフラップ３２ｇを挟みこんだ状態で第１展開載置部３２ａの内側に折り返され、内側側壁板部３２ｉの端部に形成された凸部３２ｂがスリット３２ｊに嵌め込まれる。このようにして、側壁部３２ｆ，外側側壁板部３２ｈ，内側側壁板部３２ｉが固定される。
【００３９】
同様にして第２展開載置部３３ａの側壁部３３ｆ，外側側壁板部３３ｈ，内側側壁板部３３ｉが固定され、第３展開載置部３４ａの側壁部３４ｆ，外側側壁板部３４ｈ，内側側壁板部３４ｉが固定され、さらに第４展開載置部３５ａの側壁部３５ｆ，外側側壁板部３５ｈ，内側側壁板部３５ｉが固定される。この状態を図１７に示す。
【００４０】
図１７に示す状態から、第１展開載置部３２ａ，第２展開載置部３３ａ，第３展開載置部３４ａ，第４展開載置部３５ａが、折り返し線３６ｂ，３６ｂ、３７ｂ，３７ｂ、３８ｂ，３８ｂ、３９ｂ，３９ｂに沿って折り返されて被保護物保護体３１が形成される。図１８は、被保護物保護体３１を裏面側から見た斜視図であり、図１９は、被保護物保護体３１を表面側から見た斜視図である。第１載置部３２，第２載置部３３，第３載置部３４，第４載置部３５は、第１連結部３６，第２連結部３７，第３連結部３８，第４連結部３９の端部側に張り出した状態で平行になるように設置される。これによって被保護物保護体３１を形成するために用いられる展開した板材である段ボール板を小さくすることができ省資源を図ることができる。
【００４１】
なお、第１展開載置部３２ａと第２展開載置部３３ａとは凸部３２ｂと凸部３３ｃとが当接した状態で配置され、第２展開載置部３３ａと第３展開載置部３４ａとは端面３３ｂと３４ｃとが当接した状態で配置され、第３展開載置部３４ａと第４展開載置部３５ａとは凸部３４ｂと凸部３５ｃとが当接した状態で配置され、第４展開載置部３５ａと第１展開載置部３２ａとは端面３５ｂと３２ｃとが当接した状態で配置されているが、これに限定されるものではなく、第１展開載置部３２ａと第２展開載置部３３ａとの間、第２展開載置部３３ａと第３展開載置部３４ａとの間、第３展開載置部３４ａと第４展開載置部３５ａとの間、あるいは第４展開載置部３５ａと第１展開載置部３２ａとの間に隙間を設けることもできる。
【００４２】
本発明の第５の実施の形態について図２０〜図２４に基づいて説明する。被保護物保護体４１は、たとえば段ボール板を用いて形成され、被保護物を覆う保護部である第１覆い部４２と第２覆い部４３とを備え、さらに、第１覆い部４２と第２覆い部４３とを連結する連結部である第１連結部４４と第２連結部４５とを備えている。
【００４３】
被保護物保護体４１は、展開図４６において、第１覆い部４２，第２覆い部４３が展開された展開保護部である第１展開覆い部４２ａ，第２展開覆い部４３ａと、第１連結部４４，第２連結部４５が展開された展開連結部４４ａ，４５ａとを備えている。第１展開覆い部４２ａと第２展開覆い部４３ａとは、端面４２ｂと４３ｂとが突き合わされた状態で隣接して配置される。展開連結部４４ａは、第１展開覆い部４２ａと第２展開覆い部４３ａとの一方側の周縁部４２ｃ，４３ｃに沿って配置され、展開連結部４５ａは、第１展開覆い部４２ａと第２展開覆い部４３ａとの他方側の周縁部４２ｄ，４３ｄに沿って配置される。
【００４４】
第１展開覆い部４２ａは、側板４２ｅ，４２ｆ，４２ｇと上蓋形成用フラップ４２ｈ，４２ｉ，４２ｊと底蓋形成用フラップ４２ｋ，４２ｌ，４２ｍを備えており、第２展開覆い部４３ａは、側板４３ｅ，４３ｆ，４３ｇと上蓋形成用フラップ４３ｈ，４３ｉ，４３ｊと底蓋形成用フラップ４３ｋ，４３ｌ，４３ｍを備えている。
【００４５】
展開連結部４４ａ，４５ａの両端部には、展開連結部４４ａ，４５ａの長手方向に対して４５°傾いた左右対称な折り返し線４４ｂ，４４ｂ、４５ｂ，４５ｂが形成されている。第１展開覆い部４２ａは、展開連結部４４ａ，４５ａの一方側に形成された折り返し線４４ｂ，４５ｂに沿って折り返し可能であり、第２展開覆い部４３ａは、展開連結部４４ａ，４５ａの他方側に形成された折り返し線４４ｂ，４５ｂに沿って折り返し可能である。
【００４６】
まず、図２１に示すように、展開連結部４４ａ，４５ａの長手方向に沿って断面コの字状に折り曲げられる。次に、第１展開覆い部４２ａが、展開連結部４４ａ，４５ａの一方側に形成された折り返し線４４ｂ，４５ｂに沿って折り返され、第２展開覆い部４３ａが、展開連結部４４ａ，４５ａの他方側に形成された折り返し線４４ｂ，４５ｂに沿って折り返される。このときの状態を図２２に示す。第１展開覆い部４２ａと第２展開覆い部４３ａとは、互いに向き合って平行になるように展開連結部４４ａ，４５ａの両端部に張り出した状態で設置される。これによって被保護物保護体４１を形成するために用いられる展開した板材である段ボール板を小さくすることができ省資源を図ることができる。
【００４７】
この状態からさらに図２３に示すように、第１展開覆い部４２ａの底蓋形成用フラップ４２ｋ，４２ｌ，４２ｍと、第２展開覆い部４３ａの底蓋形成用フラップ４３ｋ，４３ｌ，４３ｍとが閉じられる。底蓋形成用フラップ４２ｋ，４２ｌ，４２ｍと４３ｋ，４３ｌ，４３ｍとは、たとえば接着剤を用いて閉じられてもよく、あるいは封緘テープ４７などを用いて閉じられてもよい。
【００４８】
たとえば、この状態で被保護物が被保護物保護体４１の内部に収納された後、第１展開覆い部４２ａの上蓋形成用フラップ４２ｈ，４２ｉ，４２ｊと、第２展開覆い部４３ａの上蓋形成用フラップ４３ｈ，４３ｉ，４３ｊとが閉じられる。上蓋形成用フラップ４２ｈ，４２ｉ，４２ｊと４３ｈ，４３ｉ，４３ｊとは、たとえば接着剤を用いて閉じられてもよく、あるいは封緘テープ４７などを用いて閉じられてもよい。このようにして形成された被保護物保護体４１を図２４に示す。
【００４９】
本実施の形態のように、第１覆い部４２と第２覆い部４３とで被保護物の外面を覆って保護する被保護物保護体４１においても、展開した段ボール板を小さくして省資源を図ることができる。なお、被保護物保護体４１に収納された被保護物は、さらに段ボール箱に箱詰めすることもできる。
【００５０】
なお、第１展開覆い部４２ａと第２展開覆い部４３ａとは端面４２ｂと４３ｂとが当接した状態で配置されているが、これに限定されるものではなく端面４２ｂと４３ｂとの間に隙間を設けることもできる。
【００５１】
本発明の第６の実施の形態について図２５〜図２７に基づいて説明する。本実施の形態は第１の実施の形態の変形例であり、第１の実施の形態の説明と重複する部分については説明を省略し同一の参照符を用いる。展開連結部４ａの端部には折り返し線４ｂ，４ｂが形成されており、折り返し線４ｂ，４ｂの内側にはさらに折り返し線４ｃ，４ｃが形成されている。折り返し線４ｃ，４ｃ間の距離は、折り返し線４ｂ，４ｂの距離に比して短くされている。第１展開載置部２ａ，第２展開載置部３ａは、折り返し線４ｂ，４ｂ、４ｃ，４ｃのうちから任意に選択した折り返し線で折り返し可能である。
【００５２】
図２６に示す被保護物保護体４８は、第１載置部２と第２載置部３とが折り返し線４ｂ，４ｂで折り返されて形成されており、図２７に示す被保護物保護体４８は、第１載置部２と第２載置部３とが折り返し線４ｃ，４ｃで折り返されて形成されている。このように、折り返し線を複数組形成することによって第１載置部２と第２載置部３との間隔を任意に変えることができる。さらに、第１載置部２と第２載置部３とを異なる折り返し線４ｂ，４ｃで折り返すことによって、第１載置部２と第２載置部３とを段違いに設置することもできる。
【００５３】
なお、本実施の形態は、もちろん前述の第２の実施の形態〜第５の実施の形態においても用いることができる。
このように、被保護物を保護する保護部である第１載置部２と第２載置部３が展開された２つ以上の展開保護部である第１展開載置部２ａ，第２展開載置部３ａと、隣接して突き合わされた状態で配置される２つの第１展開載置部２ａと第２展開載置部３ａとを連結する連結部４が展開された展開連結部４ａとが設けられ、展開された状態において展開連結部４ａは前記２つの第１展開載置部２ａと第２展開載置部３ａとの周縁部に沿って配置される展開図５を備えており、第１載置部２と第２載置部３は第１展開載置部２ａ，第２展開載置部３ａが展開連結部４ａに対して斜めに折り返されて展開連結部４ａの端部側に配置されるので、被保護物保護体１を形成するために用いられる展開した板材を小さくして省資源を図ることができる。
【００５４】
さらに、第１載置部２と第２載置部３とは第１展開載置部２ａ，第２展開載置部３ａが展開連結部４ａに対して４５°の角度で折り返されて形成されるので、展開連結部４ａの端部側に配置される２つの第１載置部２と第２載置部３とを平行になるように配置することができる。
【００５５】
さらに、段ボール板を用いて形成されるので、軽量で衝撃吸収性に優れた被保護物保護体１とすることができる。
【符号の説明】
【００５６】
１，１１，２１，３１，４１，４８  被保護物保護体
２，１２，２２，３２  第１載置部
３，１３，２３，３３  第２載置部
４，１４  連結部
５，１５，２９，４０，４６，４９  展開図
２４，３４  第３載置部
２５，３５  第４載置部
２６，３６，４４  第１連結部
２７，３７，４５  第２連結部
２８，３８  第３連結部
３９  第４連結部
４２  第１覆い部
４３  第２覆い部
４７  封緘テープ  
【図１】
2014024566.tif 000003
【図２】
2014024566.tif 000004
【図３】
2014024566.tif 000005
【図４】
2014024566.tif 000006
【図５】
2014024566.tif 000007
【図６】
2014024566.tif 000008
【図７】
2014024566.tif 000009
【図８】
2014024566.tif 000010
【図９】
2014024566.tif 000011
【図１０】
2014024566.tif 000012
【図１１】
2014024566.tif 000013
【図１２】
2014024566.tif 000014
【図１３】
2014024566.tif 000015
【図１４】
2014024566.tif 000016
【図１５】
2014024566.tif 000017
【図１６】
2014024566.tif 000018
【図１７】
2014024566.tif 000019
【図１８】
2014024566.tif 000020
【図１９】
2014024566.tif 000021
【図２０】
2014024566.tif 000022
【図２１】
2014024566.tif 000023
【図２２】
2014024566.tif 000024
【図２３】
2014024566.tif 000025
【図２４】
2014024566.tif 000026
【図２５】
2014024566.tif 000027
【図２６】
2014024566.tif 000028
【図２７】
2014024566.tif 000029